(57)【要約】      （修正有）【課題】衛生用紙収納容器を再利用可能なようにする。【解決手段】四辺形状の底面部２１を有する箱状の形態からなるものであって厚紙またはＰＰ等の合成樹脂材にて形成される収納容器２と、収納容器２内に収納された衛生用紙の束９の上面側に載置されるものであって長方形状の平面形態を有するとともに、その中央部のところには手指が少なくとも二本挿入することのできるように形成された開口部１５を有し、当該開口部１５の長手方向両側のところには、幅方向に相対向するように形成されるものであって上下方向への作動が可能なように形成されたフラップ部１２を有するウエィトプレート１と、からなる。【選択図】図１
2017178412.tif 000002
【特許請求の範囲】
【請求項１】
四辺形状の平面形態からなる底面部を基礎に所定の深さを有するように形成された箱状の形態からなるものであって厚紙を含む所定の強度・剛性を有する素材にて形成される収納容器と、当該収納容器内に所定の容積を有するように束ねられた状態で収納された衛生用紙の集合体の上面側に載置されるものであって長方形状の平面形態を有するとともに所定の質量及び剛性を有し、更には、その中央部のところには手指が少なくとも二本挿入することのできるように形成された開口部を有し、また、このような開口部の長手方向両側のところには、幅方向に相対向するように形成されるものであって上下方向への作動が可能なように形成されたフラップ部を有するウエィトプレートと、からなるようにしたことを特徴とする衛生用紙収納容器。
【請求項２】
請求項１記載の衛生用紙収納容器において、上記収納容器をポリプロピレン（ＰＰ）を含む所定の合成樹脂材を用いてインジェクション成形手段にて一体的に形成させるようにしたことを特徴とする衛生用紙収納容器。
【請求項３】
請求項１記載の衛生用紙収納容器において、上記フラップ部を含むウエィトプレートを、ポリプロピレン（ＰＰ）を含む所定の合成樹脂材を用いてインジェクション成形手段にて一体的に形成させるようにしたことを特徴とする衛生用紙収納容器。
【請求項４】
請求項１記載の衛生用紙収納容器において、上記ウエィトプレートを、衛生用紙を上方から押え付けるように作用するものであって、所定の質量を有する素材にて形成される平板状のプレート部と、上記ウエィトプレートの中央部に形成される開口部周りに設けられるものであって所定の金属板にて形成されるフラップ部と、からなるようにするとともに、当該フラップ部の上記ウエィトプレート開口部周りへの取付けを、折り曲げ可能なテープ部材を介して行わせるようにしたことを特徴とする衛生用紙収納容器。
【発明の詳細な説明】
【技術分野】
【０００１】
本発明は、ティシュペーパに代表される衛生用紙が束の状態で収納されるものの中から、これら用紙を一枚づつ円滑に取り出すことができるようにするとともに、これら取出されて消費された後の空となった状態のところへ、新たな衛生用紙を円滑に補充することのできるようにした衛生用紙収納用のカートン、すなわち、衛生用紙収納容器に関するものである。
【背景技術】
【０００２】
ところで、従来の衛生用紙収納容器としては、例えば特開２００８−１４１１号公報記載のものの如く、長方形立方体形状のカートンの小口形状妻面のところを開口させ、ここから衛生用紙の束を押し込み挿入することによって、衛生用紙の収納（設置）をするようにしているものが挙げられる。このような状態で収納された衛生用紙を別途設けられたカートン状収納容器の上面側に形成された取出口のところから、使用者が上記衛生用紙を上方へつまみ出すことによって取出すことができるようになっているものである。そして、このようにして各衛生用紙の使用が済んで空の状態となった容器（カートン）は、使用済み容器として廃棄されることとなる。
【先行技術文献】
【特許文献】
【０００３】
【特許文献１】特開２００８−１４１１号公報
【発明の概要】
【発明が解決しようとする課題】
【０００４】
ところで、上記従来のものは、容器（カートン）内に収納された衛生用紙（例えばティシュペーパ）が使用されつくして、中身が無くなった状態においては、その容器類（カートン等）は、そのまま廃棄されてしまうものであり、再利用はされないものであった。このような従来廃棄処分されてしまっていたものを、廃棄せずに、中身を詰め替えることによって、再利用可能なようにしようとするのが、本願発明の目的（ねらい）とするところである。また、上記従来のものは、内容物であるティシュペーパを取り出す際に、容器全体が浮き上がってしまうおそれがあり、これに対処するために使用者が一方の手等にて押え付けておかねばならないという煩わしさがあった。このような問題点を解決することとした、使い勝手の良い、かつ、再利用の可能な衛生用紙収納容器を提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、衛生用紙の詰め替えが可能な衛生用紙収納容器に関して、四辺形状の平面形態からなる底面部を基礎に所定の深さを有するように形成された箱状の形態からなるものであって厚紙を含む所定の強度・剛性を有する素材にて形成される収納容器と、当該収納容器内に所定の容積を有するように束ねられた状態で収納された衛生用紙の集合体の上面側に載置されるものであって長方形状の平面形態を有するとともに所定の質量及び剛性を有し、更には、その中央部のところには手指が少なくとも二本挿入することのできるように形成された開口部を有し、また、このような開口部の長手方向両側のところには、幅方向に相対向するように形成されるものであって上下方向への作動が可能なように形成されたフラップ部を有するウエィトプレートと、からなるようにした。
【０００６】
次に、請求項２記載の発明である第二の発明においては、請求項１記載の衛生用紙収納容器に関して、上記収納容器をポリプロピレン（ＰＰ）を含む合成樹脂材にて一体的に形成させるようにした。
【０００７】
次に、請求項３記載の発明である第三の発明においては、請求項１記載の衛生用紙収納容器に関して、上記フラップ部を含むウエィトプレートを、ポリプロピレン（ＰＰ）を含む合成樹脂材にて一体的に形成させるようにした構成を採ることとした。
【０００８】
次に、請求項４記載の発明である第四の発明においては、請求項１記載の衛生用紙収納容器に関して、上記ウエィトプレートを、衛生用紙を上方から押え付けるように作用するものであって所定の質量を有する素材にて形成される平板状のプレート部と、本ウエィトプレートの中央部に形成される開口部周りに設けられるものであって所定の金属板にて形成されるフラップ部と、からなるようにするとともに、当該フラップ部の上記ウエィトプレート開口部周りへの取付けを、折り曲げ可能なテープ状部材を介して行わせるようにした構成を採ることとした。
【発明の効果】
【０００９】
請求項１記載の発明である第一の発明のものにおいては、収納容器内への衛生用紙の補充作業が円滑に、かつ、簡単に行なえるようになる。具体的には、ティッシュペーパ等の衛生用紙が使用されて収納容器が空になった状態においては、まず、ウエィトプレートを収納容器内から作業者の手指等を用いて上方へと持上げて、収納容器内から外へと取り出す。このようにしてウエィトプレートの取除かれた状態の収納容器内へ一束の新たな衛生用紙を挿入する。このように、本発明のものにおいては、衛生用紙の補充作業が簡単に、かつ、円滑に行なえることとなり、収納容器（カートン）の再利用が可能となる。そして、このような状態の一束状の衛生用紙の上にウエィトプレートを載置するとともに、上記一束状の衛生用紙の一番上側に置かれているものの一部を上記ウエィトプレートに形成された開口部のところから手指を差し込んでつまみ出す。このようなつまみ出し操作によって、以後の衛生用紙の取り出し作業が円滑に進められることとなる。また、本発明のものにおいては、ウエィトプレートが、所定の質量を有する板状の部材にて形成されていることより、衛生用紙の収納された状態の本衛生用紙収納容器全体が所定の質量を有する状態となり、本衛生用紙収納容器はテーブル上等に置かれた状態にて安定した状態となる。従って、使用者が手指にて上記衛生用紙のつまみ出し作業を行なおうとする際に、収納容器が動いてしまったりするようなことがない。その結果、衛生用紙のつまみ出し作業が円滑に行なわれることとなる。
【００１０】
また、請求項２記載の発明である第二の発明のものにおいては、収納容器をポリプロピレン等からなる所定の合成樹脂材を用いてインジェクション成形手段等にて一体的に形成させるようにしたので、収納容器の製造コストの低減化を図ることができるようになる。
【００１１】
次に、請求項３記載の発明である第三の発明のものにおいては、フラップ部を含むウエィトプレート全体を、所定の合成樹脂材を用いてインジェクション成形手段等にて一体的に形成させるようにしたので、本ウエィトプレートの製造コストの低減化が図られることとなる。また、ウエィトプレート表面に絵柄模様等を有するものを簡単に製造することができるようになり、デザイン性に優れたウエィトプレートを、延いては、衛生用紙収納容器等を効率良く得ることができるようになる。
【００１２】
次に、請求項４記載の発明である第四の発明のものにおいては、ウエィトプレートにおけるプレート部とフラップ部とを別部品にて形成させておくとともに、これらフラップ部は鉄板等の金属製板材にて形成させるようにし、更には、これらの結合を折り曲げが自由な接着テープ等を介して行わせるようにしたので、ある程度の質量を有するフラップ部が形成されることとなり、このフラップ部は、その質量によって常に下方へと一定の力を受けることとなる。その結果、通常は、このフラップ部の作用により、衛生用紙は下方へと押し付けられることとなり、収納容器内に安定した状態で保持（収納）されることとなる。また、一方、使用者の手指にて衛生用紙がつまみ出される際には、フラップ部が上方へ開くように作動し、衛生用紙の取り出し作業が円滑に行われることとなる。
【図面の簡単な説明】
【００１３】
【図１】本発明の全体構成を示す展開斜視図である。
【図２】本発明にかかるウエィトプレートが収納容器内に収納された状態を示す平面図である。
【図３】本発明にかかる収納容器から衛生用紙が取り出されるときのフラップ部の作動を示す図である。
【図４】本発明にかかる衛生用紙収納容器内から衛生用紙のつまみ出される状態を示す図である。
【図５】本発明にかかる収納容器の底面に設けられた位置決め用凸起の形成工程を示す図である。
【発明を実施するための形態】
【００１４】
本発明を実施するための形態について、図１ないし図５を基に説明する。本実施の形態にかかるものは、図１に示す如く、四辺形状の平面形態からなる底面部２１を基礎に所定の深さを有するように形成された箱状の形態からなるものであって厚紙または所定の合成樹脂材にて形成される収納容器２と、当該収納容器２内に所定の容積を有するように束ねられた状態で収納された衛生用紙の束９の上面側に載置されるものであって長方形状の平面形態を有するとともに所定の質量及び剛性を有し、更には、その中央部のところには手指が少なくとも二本挿入することのできるように形成された開口部１５を有し、また、このような開口部１５の長手方向両側のところには、幅方向に相対向するように形成されるものであって上下方向への作動が可能なように形成されたフラップ部１２を有するウエィトプレート１と、からなることを基本とするものである。
【００１５】
このような基本構成からなるものにおいて、上記収納容器２はポリプロピレン（ＰＰ）を含む合成樹脂材にて、インジェクション成形手段等を用いて一体的に形成されるようになっているものである。また、場合によっては厚紙等の折り曲げ加工にて成形加工されることも考えらえる。また、このような収納容器２内に設置されるウエィトプレート１は、そのフラップ部１２をも含めてポリプロピレン（ＰＰ）を含む合成樹脂材にて一体的に形成されるようになっているものである。具体的には、図１、図２、図３に示す如く、平板状の形態からなるプレート部１１を基礎に、そのプレート部１１の中央部に形成された開口部１５の長手方向両側のところには対称形を成すように４枚のフラップ部１２を有する形態からなるものがインジェクション成形手段等を用いて一体的に形成されるようになっている。
【００１６】
また、別の実施の形態（実施例）として、上記ウエィトプレート１を、衛生用紙の束９を上方から押え付けるように作用するものであって、所定の質量を有する素材にて形成される平板状のプレート部１１と、上記ウエィトプレート１の中央部に形成される開口部１５周りに設けられるものであって所定の金属板にて形成されるフラップ部１２と、からなるようにするとともに、当該フラップ部１２の上記ウエィトプレート１の開口部１５周りへの取付けを、折り曲げ可能な接着テープを初めとしたテープ部材を介して行わせるようにしたものも考えられる。
【００１７】
このような構成を採ることにより、本実施の形態のものにおいては、収納容器２内への衛生用紙の束９の補充作業が円滑に、かつ、簡単に行なえるようになる。具体的には、ティッシュペーパ等の衛生用紙が使用されて収納容器２内が空になった状態においては、まず、ウエィトプレート１を収納容器２内から作業者の手指等を用いて上方へと持上げて、収納容器２内から外へと取り出す。このようにしてウエィトプレート１の取除かれた状態の収納容器２内へ衛生用紙の束９を挿入する。このようにして、衛生用紙の補充作業が簡単に、かつ、円滑に行なわれることとなり、収納容器（カートン）の再利用が可能となる。そして、このような状態の一束状の衛生用紙（衛生用紙の束）９の上にウエィトプレート１を載置するとともに、上記一束状の衛生用紙の一番上側に置かれているもの９９の一部を上記ウエィトプレート１に形成された開口部１５のところから手指を差し込んでつまみ出す（図４参照）。このようなつまみ出し操作によって、以後の衛生用紙の取り出し作業が円滑に進められることとなる。
【００１８】
また、本実施の形態のものにおいては、ウエィトプレート１が、所定の質量を有する板状の部材にて形成されていることより、衛生用紙の収納された状態の本衛生用紙収納容器全体が所定の質量を有する状態となっており、本衛生用紙収納容器２はテーブル上等に置かれた状態において安定した状態となる。従って、使用者が手指にて上記衛生用紙９９のつまみ出し作業を行なおうとする際に、収納容器２が動いてしまったりするようなことがない。その結果、衛生用紙９９のつまみ出し作業が円滑に行なわれることとなる。
【００１９】
上記ウエィトプレート１に関して、フラップ部１２をも含めてウエィトプレート１全体を、ＰＰを含む所定の合成樹脂材を用いてインジェクション成形手段にて一体的に形成させることによって、本ウエィトプレート１全体の製造コストの低減化を図ることができるようになる。また、ウエィトプレート１表面に絵柄模様等を簡単に形成させることができるようになり、デザイン性に優れたウエィトプレート１を効率良く得ることができるようになる。なお、このように、フラップ部１２とプレート部１１とを一体的に形成させるようにしたものにおいては、フラップ部１２のプレート部１１への取付部（連結部）のところを、インジェクション成形手段による一体成形時において薄肉状に形成させることによって、フラップ部１２の取付け部のところにヒンジ部を形成させることが可能となる。このようなヒンジ部の形成によって、フラップ部１２の折り曲げ作動が円滑になり、例えば図３、図４に示す如く、衛生用紙９９のつまみ出し作業が円滑に行なわれるようになる。
【００２０】
また、本ウエィトプレート１についての別の実施の形態に関するものとしては、プレート部１１とフラップ部１２とを別部品にて形成させておくとともに、これらフラップ部１２を鉄板等の金属製板材にて形成させるようにし、更には、これらの結合を折り曲げが自由な接着テープ等のテープ部材を介して行わせるようにしたものが考えられる。これによって、ある程度の質量を有するフラップ部１２が形成されることとなり、このフラップ部１２は、その質量によって常に下方へと一定の力を受けることとなる（図３参照）。その結果、通常は、このフラップ部１２の作用により、衛生用紙の束９は下方へと押し付けられることとなり、収納容器２内に安定した状態で保持（収納）されることとなる。また、一方、使用者の手指にて衛生用紙９９がつまみ出される際には、フラップ部１２が上方へ開くように作動し、衛生用紙９９の取り出し作業が円滑に行われることとなる。
【００２１】
このような構成からなる収納容器２の底面部２１のところには、例えば図３、図４に示すような位置決め用凸起２５が、上記底面部２１の四隅のところに形成されるようになっている。このような位置決め用凸起２５を設けることによって、複数の収納容器２を積み重ねた状態で保管する場合において、この四隅に設けられた位置決め用凸起２５のところに、下に置かれた収納容器２の縦壁２２のところが係合し、複数の収納容器２、２の積み重ねが確実に行なわれることとなる。これによって荷崩れ等のおそれが無くなる。なお、このような位置決め用凸起２５の形成は、収納容器２のインジェクション成形加工時等において、図５に示すようなプレス型及び下型を用いることによって収納容器２全体の成形と同時に行わせることが可能となる。
【符号の説明】
【００２２】
１  ウエィトプレート
１１  プレート部
１２  フラップ部
１５  開口部
２  収納容器
２１  底面部
２２  竪壁
２５  位置決め用凸起
９  衛生用紙の束
９９  衛生用紙
【図１】
2017178412.tif 000003
【図２】
2017178412.tif 000004
【図３】
2017178412.tif 000005
【図４】
2017178412.tif 000006
【図５】
2017178412.tif 000007